(57)【要約】【課題】雇用者と、同雇用者に雇用された講師がお互いに安心して報酬の支払い及び報酬の要求を行なうことができる授業実績管理システムを提供する。【解決手段】授業管理用データベースを接続した授業管理用サーバー装置には、授業管理用データベースに授業計画情報を登録する授業計画登録手段と、授業管理用データベースに授業報告情報を登録する授業報告登録手段と、授業管理用データベースに登録した授業報告情報に基づいて、授業報告情報を登録した講師への報酬計算を行なう報酬計算手段とを設けるとともに、授業管理用サーバー装置を電気通信回線と接続し、同電気通信回線と接続したクライアント装置から授業管理用サーバー装置に接続可能として、クライアント装置に授業管理用データベースに登録された授業報告情報を送信して情報開示を行なう情報開示手段を設ける。【選択図】　　図２
2004046521.tif 000002
【特許請求の範囲】
【請求項１】
授業管理用データベースを接続した授業管理用サーバー装置には、授業管理用データベースに授業計画情報を登録する授業計画登録手段と、授業管理用データベースに授業報告情報を登録する授業報告登録手段と、授業管理用データベースに登録した授業報告情報に基づいて、授業報告情報を登録した講師への報酬計算を行なう報酬計算手段とを設けるとともに、
授業管理用サーバー装置を電気通信回線と接続し、同電気通信回線と接続したクライアント装置から授業管理用サーバー装置に接続可能として、クライアント装置に授業管理用データベースに登録された授業報告情報を送信して情報開示を行なう情報開示手段を設けたことを特徴とする授業実績管理システム。
【請求項２】
授業管理用サーバー装置には、講師による授業を受講した生徒の受講情報を授業管理用データベースに登録する受講情報登録手段を設けるとともに、同受講情報登録手段による受講情報の登録にともなって、受講情報の登録された生徒が使用するクライアント装置に受講情報登録の通知を行なう受講情報登録通知手段を設けたことを特徴とする請求項１記載の授業実績管理システム。
【請求項３】
授業を行なう講師が、クライアント装置を用いて授業管理用サーバー装置に接続し、同クライアント装置を用いて授業管理用データベースに授業計画情報を登録し、登録した授業計画情報における授業実施予定日以降の所定期間の経過をもって、授業管理用サーバー装置は、講師による授業管理用データベースへの授業報告情報の登録を禁止するロックアウト処理を行なうべく構成したことを特徴とする請求項１または請求項２に記載の授業実績管理システム。
【請求項４】
ロックアウト処理の実施時に、講師がクライアント装置を用いて授業管理用データベースに授業報告情報の登録を行なっていなかった場合には、授業管理用サーバー装置は、講師が使用するクライアント装置に、ロックアウト処理を実施したことを通告する通告メールを送信することを特徴とする請求項３記載の授業実績管理システム。
【請求項５】
授業管理用サーバー装置には、クライアント装置を用いて講師が授業管理用サーバー装置に授業計画情報を入力する場合に、講師が過去に作成した授業計画情報を指定することにより、指定した授業計画情報を自動入力する自動入力手段を設けたことを特徴とする請求項３または請求項４に記載の授業実績管理システム。
【請求項６】
授業管理用サーバー装置には、クライアント装置を用いて講師が授業管理用サーバー装置に授業計画情報を入力する場合に、生徒の受講情報と重複する授業計画情報の入力にともなって警告通知を行なう警告通知手段を設けたことを特徴とする請求項３〜５のいずれか１項に記載の授業実績管理システム。
【請求項７】
授業管理用サーバー装置には、クライアント装置を用いて講師が授業管理用サーバー装置に授業計画情報を入力する場合に、あらかじめ生徒の受講情報を取得し、生徒間で重複の生じない授業のみを抽出して授業計画基礎情報を生成する授業計画生成手段を設けたことを特徴とする請求項３〜６のいずれか１項に記載の授業実績管理システム。
【発明の詳細な説明】
【０００１】
【発明の属する技術分野】
本発明は、システム管理者が講師を雇用し、雇用された講師が授業を行なうことによって教育サービスを提供する事業形態において、講師が報酬を受けるに相当する授業の実施を行なったかどうかを、システム管理者が管理する授業実績管理システムに関するものである。
【０００２】
【従来の技術】
従来、語学学校における語学教育サービスの提供や、専門技能あるいは専門資格の取得をサポートしている専門学校等での教育サービスの提供、あるいは、学習塾や家庭講師派遣による教育サービスの提供を行なっている教育サービス提供業者では、複数の講師を雇い、同講師によって授業を行なうことにより教育サービスを提供している。
【０００３】
ここで、「講師」とは、授業を行なって知識や技能の教授を行なう立場の者であり、一方、同講師に指導される立場の者を「生徒」と呼ぶことにする。なお、「授業」とは、単なる知識の教授だけでなく、いわゆる「レッスン」等の技能の教授・指導をも含むものとする。また、講師を雇用し、同講師への報酬を管理する者を「雇用者」と呼ぶことにする。
【０００４】
かかる教育サービスの提供において、雇用者が授業を実施する教室も提供し、同教室において講師が授業を行なう場合には、教室の使用状況を確認することによって雇用者は講師による授業の実施状況、すなわち、講師が確実に授業を実施したことを確認することができる。
【０００５】
一方、講師を派遣して、派遣先で授業を実施する場合には、雇用者は、派遣した講師による授業の実施状況を直接的に把握することができないため、同講師が提出する報告書に基づいて授業の実施状況を確認している。
【０００６】
【発明が解決しようとする課題】
しかしながら、講師が提出する報告書に基づいて授業の実施状況を確認する場合には、講師が授業を実施していないにもかかわらず授業を実施したかのように報告書を作成することが可能であり、虚偽の報告書が提出される可能性があるという問題があった。
【０００７】
特に、講師をパートタイム制で雇用し、講師への報酬の支払いを歩合制で行なっている場合には、虚偽の報告書に基づいて報酬の支払いが行なわれるおそれがあり、雇用者は金銭的な損害を被るおそれがあった。
【０００８】
逆に、パートタイム制で雇用された講師の方は、正しく報告書を提出したにもかかわらず、雇用者が不正処理を行なって授業が行なわれなかったかのように処理することにより、講師への報酬金額がごまかされるおそれがあった。
【０００９】
このような不正を防止するには、講師あるいは雇用者の良心に頼らざるを得ず、具体的な防止手段がなかった。そこで、本発明者は、上記問題を解決すべく開発を行ない、不正行為を防止可能とした本発明の授業実績管理システムを発明するに至ったものである。
【００１０】
【課題を解決するための手段】
本発明の授業実績管理システムでは、授業管理用データベースを接続した授業管理用サーバー装置には、授業管理用データベースに授業計画情報を登録する授業計画登録手段と、授業管理用データベースに授業報告情報を登録する授業報告登録手段と、授業管理用データベースに登録した授業報告情報に基づいて、授業報告情報を登録した講師への報酬計算を行なう報酬計算手段とを設けるとともに、授業管理用サーバー装置を電気通信回線と接続し、同電気通信回線と接続したクライアント装置から授業管理用サーバー装置に接続可能として、クライアント装置に授業管理用データベースに登録された授業報告情報を送信して情報開示を行なう情報開示手段を設けた。
【００１１】
また、以下の点にも特徴を有するものである。すなわち、
（１）授業管理用サーバー装置には、講師による授業を受講した生徒の受講情報を授業管理用データベースに登録する受講情報登録手段を設けるとともに、同受講情報登録手段による受講情報の登録にともなって、受講情報の登録された生徒が使用するクライアント装置に受講情報登録の通知を行なう受講情報登録通知手段を設けたこと。
（２）授業を行なう講師が、クライアント装置を用いて授業管理用サーバー装置に接続し、同クライアント装置を用いて授業管理用データベースに授業計画情報を登録し、登録した授業計画情報における授業実施予定日以降の所定期間の経過をもって、授業管理用サーバー装置は、講師による授業管理用データベースへの授業報告情報の登録を禁止するロックアウト処理を行なうべく構成したこと。
（３）ロックアウト処理の実施時に、講師がクライアント装置を用いて授業管理用データベースに授業報告情報の登録を行なっていなかった場合には、授業管理用サーバー装置は、講師が使用するクライアント装置に、ロックアウト処理を実施したことを通告する通告メールを送信すること。
（４）授業管理用サーバー装置には、クライアント装置を用いて講師が授業管理用サーバー装置に授業計画情報を入力する場合に、講師が過去に作成した授業計画情報を指定することにより、指定した授業計画情報を自動入力する自動入力手段を設けたこと。
（５）授業管理用サーバー装置には、クライアント装置を用いて講師が授業管理用サーバー装置に授業計画情報を入力する場合に、生徒の受講情報と重複する授業計画情報の入力にともなって警告通知を行なう警告通知手段を設けたこと。
（６）授業管理用サーバー装置には、クライアント装置を用いて講師が授業管理用サーバー装置に授業計画情報を入力する場合に、あらかじめ生徒の受講情報を取得し、生徒間で重複の生じない授業のみを抽出して授業計画基礎情報を生成する授業計画生成手段を設けたこと。
【００１２】
【発明の実施の形態】
本発明の授業実績管理システムでは、講師を雇用する雇用者は、授業管理用サーバー装置を管理するシステム管理者であって、同授業管理用サーバー装置には授業管理用データベースを接続し、授業を行なう講師によって授業管理用データベースには実施する授業の授業計画情報と、実施した授業の授業報告情報とを登録させ、授業管理用データベースに登録した授業報告情報は、授業を受けた生徒、あるいは授業を行なった講師から閲覧可能としておくことにより、授業報告情報の内容のチェックを生徒あるいは講師によって行ない、講師による授業報告情報の不正入力、あるいは、システム管理者による授業報告情報の不正改ざんを抑止可能としているものである。
【００１３】
そして、不正のない授業報告情報の授業管理用データベースへの登録に基づいて、授業実績管理システムは授業報告情報を登録した講師への報酬計算を行なうことにより、システム管理者である雇用者は、安心して講師に対して報酬を支払うことができるとともに、講師は公明正大に報酬を受け取ることができるものである。
【００１４】
また、講師は、あらかじめ授業計画情報を授業管理用データベースに登録することにより授業準備を確実に行なうことができるので、授業内容を充実したものとすることができ、生徒に対してより良質の授業を提供することができる。
【００１５】
一方、生徒は、授業後に授業管理用データベースに登録した授業報告情報を閲覧することにより、授業計画と比較しながら授業報告情報に基づいて学習内容を復習することができ、学習効率を向上させることができる。
【００１６】
なお、雇用者は、必ずしも雇用者自身が直接的に授業実績管理システムの管理を行なうシステム管理者である必要はなく、間接的に管理を行なうシステム管理者となっていればよい。
【００１７】
以下において、図面を用いて本発明の授業実績管理システムをさらに詳説する。なお、以下においては、授業実績管理システムは、多数の外国人講師を雇用して英会話学校を運営している雇用者がシステム管理者として使用しているものとし、各外国人講師はパートタイム制で雇用されているものとする。
【００１８】
同英会話学校では生徒を募集し、募集した生徒を複数人ずつに区分することによりクラスを形成し、クラス単位で授業を行なっているものとする。なお、個人授業の場合であっても、１人の生徒だけで１つのクラスを形成しているものとする。
【００１９】
クラスの形成方法としては、通常、生徒の修得程度を基準としてクラス分けを行なっているが、企業における語学研修への講師派遣である場合には、同語学研修の受講者の集団ごとにクラス分けを行なってもよい。このように企業等に講師を派遣して授業を行なう場合には、企業側で授業実績を管理するためのクラス責任者を別途設定し、同クラス責任者が、後述するように授業の実施状況を確認可能としている。クラス責任者は、授業を受ける生徒であってもよいし、生徒でなくてもよい。
【００２０】
なお、システム管理者への講師派遣の依頼は企業における語学研修だけでなく、自発的な英会話の勉強サークルであったり、あるいは英会話の勉強会を企画した企画会社であったりする場合でもよく、それぞれでクラスを形成し、クラス責任者を設定してよい。以下においては、説明の便宜上、クラス責任者が設定されているのは企業における語学研修であるとして説明を行なう。
【００２１】
本発明の授業実績管理システムでは、図１に示すように、所要の機能を具備した電子計算機からなる授業管理用サーバー装置１と、同授業管理用サーバー装置１とインターネット等の電気通信回線２を介して接続したクライアント装置とから構成したクライアント・サーバー型のシステム構成を用いている。
【００２２】
授業管理用サーバー装置１には授業管理用データベース３を接続しており、各クライアント装置から入力された入力情報を、同授業管理用データベース３に登録・保存すべく構成している。また、授業管理用サーバー装置１は、クライアント装置からの要求に基づいて、授業管理用データベース３に登録・保存されている情報をクライアント装置に出力可能としている。なお、授業管理用サーバー装置１には、既知の認証システムやファイアウォール等のセキュリティシステムを設けていることは言うまでもない。
【００２３】
クライアント装置も電子計算機であって、電気通信回線２を介して授業管理用サーバー装置１にアクセス可能としている。同クライアント装置は、少なくとも、授業管理用サーバー装置１への情報の送信、及び、授業管理用サーバー装置１から送信された情報の出力、さらには、授業管理用サーバー装置１から送信された電子メールの受信が可能となっていればよい。
【００２４】
クライアント装置には、後述するように講師が授業計画情報あるいは授業報告情報を入力するために使用する講師用クライアント装置４、後述するように生徒が講師の授業報告情報登録に基づいて生成された受講情報を閲覧するために使用する生徒用クライアント装置５、さらには、後述するようにクラス責任者が講師の授業報告情報登録に基づいて生成された受講情報を閲覧するために使用するクラス責任者用クライアント装置６が存在するが、いずれのクライアント装置４，５，６も使用者が異なるだけであって、機能的には同じものである。
【００２５】
なお、図示していないが、クライアント装置４，５，６としてはシステム管理者用クライアント装置も設け、システム管理者は、授業管理用サーバー装置を直接的に操作するだけでなく、システム管理者用クライアント装置を用いて授業管理用サーバー装置を操作すべく構成してもよい。
【００２６】
上記したようにクライアント・サーバー型のシステム構成を用いて構築した授業実績管理システムは、以下に説明するフローチャートに基づいて機能すべく構成している。
【００２７】
はじめに、システム管理者と講師との間で行なわれる処理について説明し、その後、システム管理者と、講師と、生徒及びクラス責任者との間で行なわれる処理について説明する。
【００２８】
システム管理者は、図２に示すように、はじめに、授業管理用サーバー装置１を用いて授業管理用データベース３に設けたユーザー管理マスタファイルへの新規講師の登録、及びユーザー管理マスタファイルへの新規生徒の登録を行なう（ステップＳ１０）。なお、ユーザー管理マスタファイルへの新規の登録が必要な講師、あるいは生徒がいない場合には、新規講師あるいは新規生徒の登録を行なう必要はない。
【００２９】
なお、企業における語学研修を行なう場合には、同語学研修を受講する受講者を生徒としてユーザー管理マスタファイルに登録するとともに、同語学研修を依頼することにより顧客となる顧客企業を企業顧客マスタファイルに登録する。
【００３０】
ユーザー管理マスタファイルには、講師あるいは生徒の氏名、連絡先住所、連絡先電話番号、電子メールアドレス、授業管理用サーバー装置１へのアクセス用のユーザーＩＤ、授業管理用サーバー装置１へのアクセス用のパスワード等を登録するとともに、講師の場合には報酬振込先口座情報や報酬単価情報等、生徒の場合には勤務先情報や受講情報等を登録している。ここでは、ユーザー管理マスタファイルによって講師と生徒とを同時に管理しているが、講師と生徒とを別々に管理すべくそれぞれのマスタファイルを設けてもよい。ユーザー管理マスタファイルには必要に応じてさらに所要の情報を登録して管理可能としてよい。
【００３１】
企業顧客マスタファイルには、顧客企業名、及び授業管理用サーバー装置１へのアクセス用のユーザーＩＤ等を登録している。
【００３２】
次いで、システム管理者は、授業管理用サーバー装置１を用いて授業管理用データベース３に設けたクラス管理マスタファイルに、クラスの設定を行なう（ステップＳ１１）。
【００３３】
クラス管理マスタファイルには、クラス名、初回授業日、最終回授日、授業を担当する講師名、授業に使用するテキスト名、受講する生徒名、クラス責任者名等を登録している。クラス管理マスタファイルには必要に応じてさらに所要の情報を登録して管理可能としてよい。
【００３４】
クラス設定の終了後、授業実績管理システムは、クラス設定において設定された講師に対して、同講師が授業を担当するクラスが決定したことを通知するクラス設定通知メールを送信する（ステップＳ１２）。なお、講師にはクラス設定通知メールで連絡するだけでなく、電話やファクシミリ等を用いて授業を担当するクラスが決定したことを通知してもよい。
【００３５】
講師は、講師用クライアント装置４によってクラス設定通知メールを受信して、自分が担当するクラスを確認する（ステップＳ１３）。
【００３６】
その後、講師は、講師用クライアント装置４を用いて授業管理用サーバー装置１にアクセスする（ステップＳ１４）。授業管理用サーバー装置１へのアクセスは次のようにして行なっている。
【００３７】
まず、講師が、適宜のブラウザソフトをインストールしている講師用クライアント装置４を用いて授業管理用サーバー装置１に設けた授業実績管理システムにアクセスしようとすると、授業管理用サーバー装置１は、講師用クライアント装置４に対してアクセス者選択画面情報を送信し、講師用クライアント装置４の表示画面に、図３に示すアクセス者選択画面１０を表示させるべく構成している。
【００３８】
アクセス者選択画面１０では、プルダウンメニュー１１を用いて「講師」、「生徒」、「クラス責任者」のいずれか一つを選択可能とし、「ｇｏ」ボタン１２を選択させるべく構成している。ここで、講師は、講師用クライアント装置４の入力装置を用いて「講師」を選択し、「ｇｏ」ボタン１２を選択することにより、授業管理用サーバー装置１は、講師用クライアント装置４に対してユーザーＩＤ入力画面情報を送信し、講師用クライアント装置４の表示画面に、図４に示すユーザーＩＤ入力画面１３を表示させるべく構成している。
【００３９】
ユーザーＩＤ入力画面１３には、ユーザーＩＤ入力欄１４と、パスワード入力欄１５と、「ｇｏ」ボタン１６と、「ｂａｃｋ」ボタン１７とを設けており、講師が、講師用クライアント装置４の入力装置を用いてユーザーＩＤ入力欄１４とパスワード入力欄１５とに、それぞれあらかじめユーザー管理マスタファイルに登録されたユーザーＩＤとパスワードとを入力し、「ｇｏ」ボタン１６を選択することによって、授業管理用サーバー装置１は、講師用クライアント装置４に対してユーザーＩＤ入力欄１４に入力されたユーザーＩＤで指定される講師が担当するクラスのクラス一覧画面情報を送信し、講師用クライアント装置４の表示画面に、図５に示すクラス一覧画面１８を表示させるべく構成している。なお、「ｂａｃｋ」ボタン１７を選択した場合には、講師用クライアント装置４の表示画面にはアクセス者選択画面１０を表示させるべく構成している。
【００４０】
以上の操作によって、講師は授業管理用サーバー装置１にアクセスしたこととなる。授業管理用サーバー装置１へのアクセス後、講師は、授業計画情報を授業管理用サーバー装置１の授業管理用データベース３に登録すべく、まず、講師は、クラス一覧画面１８において授業計画情報を入力するクラスの選択を行なう。
【００４１】
クラス一覧画面１８には講師名表示部１９を設けており、同講師名表示部１９の下方に、講師名表示部１９に表示された講師が担当するクラスを一覧表形式に表示したクラス一覧表２０を表示すべく構成している。
【００４２】
同クラス一覧表２０に表示した各クラス名の右側には、ラジオボタンからなる選択ボタン２１を設けており、同選択ボタン２１のいずれか一つを選択し、クラス一覧画面１８に設けた「Ｅｎｔｅｒ」ボタン２２を選択することにより、授業管理用サーバー装置１は、講師用クライアント装置４に対して選択ボタン２１で選択されたクラスのレッスン一覧画面情報を送信し、講師用クライアント装置４の表示画面に、図６に示すレッスン一覧画面２５を表示すべく構成している。
【００４３】
なお、クラス一覧画面１８に設けた「ｌｏｇｏｕｔ」ボタン２３を選択した場合には、ログアウトしたことを確認すべく「Ｌｏｇｏｕｔしました。」と表示したログアウト確認画面（図示せず）を講師用クライアント装置４の表示画面に表示すべく構成している。そして、講師が同ログアウト確認画面に設けた「ＯＫ」ボタンを選択することにより講師用クライアント装置４の表示画面には「Ｌｏｇｉｎ」ボタンを設けたログイン確認画面（図示せず）を表示し、講師が同グイン確認画面において「Ｌｏｇｉｎ」ボタンを選択することにより講師用クライアント装置４の表示画面にはアクセス者選択画面１０を表示すべく構成している。
【００４４】
また、クラス一覧画面１８には、図５に示すように、「Ｃｈａｎｇｅ　Ｐａｓｓｗｏｒｄ」ボタン２４を設けており、講師が同「Ｃｈａｎｇｅ　Ｐａｓｓｗｏｒｄ」ボタン２４を選択することによって、講師のアクセス用のパスワードを変更可能としている。
【００４５】
レッスン一覧画面２５には、クラス一覧画面１８で選択したクラスに対して講師が行なった授業の履歴を一覧表形式に表示した授業一覧表２６を表示すべく構成している。図６に示した授業一覧表２６は、すでに３回の授業を実施するとともに、４回目の授業計画情報の入力を行なった状態のものを示しているが、はじめて授業計画情報を入力する場合には、最下段の「Ｗｒｉｔｅ　ａ　Ｎｅｗ　Ｌｅｓｓｏｎ（レッスンを新規作成）」のみが表示されている。
【００４６】
授業一覧表２６の最右側には、ラジオボタンからなる選択ボタン２７を設けており、最下段の「Ｗｒｉｔｅ　ａ　Ｎｅｗ　Ｌｅｓｓｏｎ（レッスンを新規作成）」の右側の選択ボタン２７を選択し、レッスン一覧画面２５に設けた「Ｅｎｔｅｒ」ボタン２８を選択することにより、授業管理用サーバー装置１は、講師用クライアント装置４に対して授業計画情報入力画面情報を送信し、講師用クライアント装置４の表示画面に、図７に示す授業計画情報入力画面３１を表示すべく構成している。なお、レッスン一覧画面２５に設けた「ｂａｃｋ」ボタン２９を選択した場合には、講師用クライアント装置４の表示画面にはレッスン一覧画面２５を表示し、「ｌｏｇｏｕｔ」ボタン３０を選択した場合には、講師用クライアント装置４の表示画面には、上記したようにログアウト確認画面及びログイン確認画面を順次表示すべく構成している。
【００４７】
上記のようにして講師用クライアント装置４の表示画面には授業計画情報入力画面３１を表示して、同授業計画情報入力画面３１に設けた各入力欄に、講師が講師用クライアント装置４の入力装置を用いて授業計画情報を入力し、授業計画情報入力画面３１に設けた「Ｓａｖｅ」ボタン３２を選択することにより、講師用クライアント装置４は授業管理用サーバー装置１に授業計画情報を送信して（ステップＳ１５）、授業管理用データベース３に授業計画情報を登録している（ステップＳ１６）。
【００４８】
授業計画情報入力画面３１は、図７に示すように、上から順に、授業予定日入力欄３３、授業内容作成者入力欄３４、使用テキスト情報入力欄３５、終了ページ数表示部３６、学習ページ数入力欄３７、学習主題入力欄３８、先回宿題内容表示部３９、授業計画入力部４０とを設けている。
【００４９】
授業計画入力部４０では、授業時間を複数のパートに分けて、パートごとの学習内容を登録可能としており、特に本実施形態では３つに区分して、上から順に第１学習内容情報入力欄４１、第２学習内容情報入力欄４２、第３学習内容情報入力欄４３を設けている。なお、パートの数は３つに限定するものではなく、パート増設ボタン等を設けてさらに多くのパートを設けるべく構成してもよい。
【００５０】
各学習内容情報入力欄４１，４２，４３の左側には、それぞれ使用時間入力欄４４を設けており、各パートの時間配分を設定可能としている。さらに、使用時間入力欄４４の下側にはトータル時間表示部４５を設け、各使用時間入力欄４４に入力した時間の合計時間を表示して、授業時間を超えないように各パートの時間配分を行なうことができるようにしている。
【００５１】
また、各学習内容情報入力欄４１，４２，４３の右側には、それぞれチェックボックスからなる削除選択欄４６を設けており、一度、学習内容情報入力欄に入力した入力内容を削除したい場合には、削除したい学習内容情報入力欄の右側の削除選択欄４６にチェックを行ない、授業計画情報入力画面３１に設けた「Ｄｅｌｅｔｅ」ボタン４７を選択することによって削除可能としている。
【００５２】
特に、第１学習内容情報入力欄４１と、第２学習内容情報入力欄４２と、第３学習内容情報入力欄４３とにそれぞれ授業計画情報を入力した後、第１学習内容情報入力欄４１に入力した授業計画情報を削除すべく第１学習内容情報入力欄４１の右側の削除選択欄４６にチェックを行ない、「Ｄｅｌｅｔｅ」ボタン４７を選択した場合には、第１学習内容情報入力欄４１の授業計画情報を削除して、第２学習内容情報入力欄４２及び第３学習内容情報入力欄４３に入力した授業計画情報をそれぞれ繰り上げる、すなわち、第２学習内容情報入力欄４２の授業計画情報を第１学習内容情報入力欄４１の授業計画情報とし、第３学習内容情報入力欄４３の授業計画情報を第２学習内容情報入力欄４２の授業計画情報とすべく構成している。
【００５３】
第３学習内容情報入力欄４３の下側には宿題情報入力欄４８を設けており、同宿題情報入力欄４８には、授業の実施後に生徒に課す宿題情報を入力可能としている。
【００５４】
講師が上記した入力欄に所要の入力を行なって「Ｓａｖｅ」ボタン３２を選択すると、講師用クライアント装置４は授業管理用サーバー装置１に授業計画情報を送信し、同授業計画情報を受信した授業管理用サーバー装置１は、講師用クライアント装置４から受信した授業計画情報を、入力授業計画確認画面情報として講師用クライアント装置４に送信し、同講師用クライアント装置４の表示画面に入力授業計画確認画面（図示せず）を表示すべく構成している。
【００５５】
講師は、講師用クライアント装置４の表示画面に表示された入力授業計画確認画面によって自分が行なった入力の内容を確認し、誤りがあれば訂正を行ない、誤りがない場合には、入力授業計画確認画面に設けた「Ｓａｖｅ」ボタンを選択することによって授業管理用データベース３への登録を行なうべく構成している。その後、講師用クライアント装置４の表示画面には、レッスン一覧画面２５を表示すべく構成しており、新たに登録された授業情報を授業一覧表２６に追加して表示すべく構成している。このとき追加表示された新規の授業は、「Ｓｔａｔｕｓ（状態）」が「Ｐｌａｎｎｅｄ」となっている。
【００５６】
授業計画情報入力画面３１には、「Ｓａｖｅ」ボタン３２とともに「ｂａｃｋ」ボタン４９を設けており、同「ｂａｃｋ」ボタン４９を選択した場合には、授業計画情報入力画面３１の各入力欄に入力した内容を保存することなく講師用クライアント装置４の表示画面にレッスン一覧画面２５を表示すべく構成している。以上が、授業計画登録手段である。
【００５７】
上記したように、授業管理用データベース３に授業計画情報が登録されると、授業管理用サーバー装置１は、次回授業の授業計画情報が存在するかどうか確認し（ステップＳ１７）、次回授業の授業計画情報が存在する場合には、授業管理用サーバー装置１は、同授業を受講する生徒の生徒用クライアント装置５、及びクラス責任者が存在する場合には同クラス責任者のクラス責任者用クライアント装置６に、電子メールで授業計画情報が登録されたことを通知すべく構成している（ステップＳ１８）。
【００５８】
その後、授業管理用サーバー装置１は授業実施予定日の経過の検出を行ない（ステップＳ１９）、授業実施予定日が経過すると授業管理用サーバー装置１は、講師による授業管理用データベース３への授業報告情報の登録に対してあらかじめ設定した締切日の経過の検出を行なう（ステップＳ２０）。すなわち、講師による授業管理用データベース３への授業報告情報の登録には締切日を設定しており、授業管理用サーバー装置１は、所定の期日以内では授業報告情報の登録を待ち受ける待受状態となるべく構成している（ステップＳ２０）。ちなみに、本実施の形態では、締切日は授業の実施後の７日目としている。締切日は、システム管理者が任意に設定可能としている。
【００５９】
講師は、所定の授業実施予定日に授業を実施した後（ステップＳ２１）、締切日までに講師用クライアント装置４を用いて授業管理用サーバー装置１にアクセスし（ステップＳ２２）、後述するように授業報告情報の入力を行なうことにより（ステップＳ２３）、授業管理用データベース３への授業報告情報の登録を行なう（ステップＳ２４）。
【００６０】
授業報告情報の登録を行なうべく講師が講師用クライアント装置４を用いて授業管理用サーバー装置１にアクセスする場合には、講師は、上記した講師による授業計画情報の授業管理用データベース３への登録の場合と同様にして、講師用クライアント装置４の表示画面には授業報告情報を入力するクラスのレッスン一覧画面２５を表示し、同レッスン一覧画面２５の授業一覧表２６における所要の授業の最右側に設けた選択ボタン２７を選択して、「Ｅｎｔｅｒ」ボタン２８を選択する。なお、授業一覧表２６において、「Ｓｔａｔｕｓ（状態）」が「Ｌｏｃｋｅｄ」となっている授業は、書込禁止状態となっており、授業報告情報の登録を行なうことができず、「Ｓｔａｔｕｓ（状態）」が「Ｐｌａｎｎｅｄ」となっている授業に対しては、授業報告情報の登録を可能としている。
【００６１】
レッスン一覧画面２５において、講師が授業報告情報の登録を行なう授業を指定すると、講師用クライアント装置４の表示画面には、まず、図８に示すように、出欠情報入力画面５０を表示すべく構成している。
【００６２】
出欠情報入力画面５０には、上から授業実施曜日入力欄５１、講師名表示部５２、授業実施日入力欄５３、出欠入力表５４を設けている。出欠入力表５４には、一覧表形式で生徒名を表示し、各生徒名の右側には「出席」、「遅刻」、「欠席」を入力するためのラジオボタンからなる選択ボタン５５ａ，５５ｂ，５５ｃを設けている。講師は、生徒が出席した場合には「出席」を入力する選択ボタン５５ａを選択し、生徒が欠席した場合には「欠席」を入力する選択ボタン５５ｃを選択し、生徒が遅刻した場合には「出席」を入力する選択ボタン５５ａと、「遅刻」を入力する選択ボタン５５ｂとを選択すべく構成している。なお、「出席」を入力する選択ボタン５５ａと、「欠席」を入力する選択ボタン５５ｃとの間に設けた「遅刻」を入力する選択ボタン５５ｂは、選択ボタン５５ａ，５５ｂ，５５ｃの形状を異ならせることにより視覚的な識別性を向上させて誤入力を防止すべく構成している。
【００６３】
講師は、選択ボタン５５ａ，５５ｂ，５５ｃを適宜選択することにより各生徒の出欠情報を入力し、出欠情報入力画面５０に設けた「Ｅｎｔｅｒ」ボタン５６を選択することにより、授業管理用サーバー装置１は、講師用クライアント装置４に対して出欠履歴表示画面情報を送信し、講師用クライアント装置４の表示画面に、図９に示す出欠履歴表示画面５８を表示すべく構成している。なお、出欠情報入力画面５０に設けた「ｂａｃｋ」ボタン５７を選択した場合には、講師用クライアント装置４の表示画面にはレッスン一覧画面２５を表示すべく構成している。
【００６４】
出欠履歴表示画面５８には、上から順に授業実施曜日入力欄５９、講師名表示部６０、授業実施日表示部６１、授業回数表示部６２、前回授業日表示部６３、出欠履歴表６４を設けている。出欠履歴表６４では、各生徒の出欠履歴情報を一覧表形式で表示している。
【００６５】
講師が、出欠履歴表示画面５８において「Ｎｅｘｔ」ボタン６５を選択することにより、授業管理用サーバー装置１は、講師用クライアント装置４に対して授業報告情報入力画面情報を送信し、講師用クライアント装置４の表示画面に、図１０に示す授業報告情報入力画面６７を表示すべく構成している。なお、出欠履歴表示画面５８に設けた「ｂａｃｋ」ボタン６６を選択した場合には、講師用クライアント装置４の表示画面にはレッスン一覧画面２５を表示すべく構成している。
【００６６】
授業報告情報入力画面６７には、図１０に示すように、上から順に、授業メモ入力欄６８、連絡事項入力欄６９、授業内容作成者表示部７０、出席生徒数表示部７１、欠席生徒数表示部７２、講師名表示部７３、使用テキスト情報表示部７４、学習ページ数入力欄７５、学習主題表示部７６、授業内容入力部７７を設けている。授業メモ入力欄６８では授業の総括を入力すべく構成している。連絡事項入力欄６９ではシステム管理者に対して必要と思われる連絡事項を入力すべく構成している。なお、授業メモ入力欄６８に記載した内容は、後述するように生徒及びクラス責任者から閲覧可能としており、一方、連絡事項入力欄６９に記載した内容は、システム管理者及び講師のみが閲覧可能であって、講師は、生徒及びクラス責任者に内容を知られることなくシステム管理者への所要の連絡を可能としている。
【００６７】
授業内容入力部７７では、授業計画情報入力画面３１で入力した各パートの使用時間情報と、パートごとの授業計画情報を表示し、さらに、各パートの授業進捗情報を入力する授業進捗情報入力欄７８と、各パートでのコメントを入力するコメント入力欄７９とを表示して、授業進捗情報入力欄７８では、各パートにおける授業が予定通り進捗した場合にチェックをつけるべく構成し、必要であれば講師がコメント入力欄７９にコメントを入力すべく構成している。
【００６８】
授業内容入力部７７の下側には宿題情報入力欄８０を設けており、講師が授業中に宿題を支持した場合には、講師は宿題情報入力欄８０に宿題情報を入力すべく構成している。
【００６９】
上記した入力欄に所要の入力を行なって授業報告情報入力画面６７に設けた「Ｕｐｃｏｍｉｎｇ　Ｃｌａｓｓ」ボタン８１を選択すると、講師用クライアント装置４は授業管理用サーバー装置１に授業報告情報を送信し、授業管理用データベース３への登録を行なうべく構成している。なお、授業計画情報入力画面３１での授業計画情報の入力作業と同様に、授業管理用サーバー装置１への授業報告情報の送信後、授業管理用サーバー装置１は、一旦、入力授業報告確認画面情報を講師用クライアント装置４に送信し、入力授業報告確認画面を講師用クライアント装置４の表示画面に表示させて、講師による授業報告情報の確認を行なわせるべく構成してもよい。以上が授業報告登録手段である。
【００７０】
なお、授業管理用データベース３への授業報告情報の登録にともなって、授業管理用サーバー装置１はクラス責任者が使用しているクラス責任者用クライアント装置６に対して、後述するように、出欠履歴表示画面５８において入力された出欠情報に基づく生徒の授業の出席履歴情報、及び、授業報告情報に基づく授業概要情報とを報告メールとして送信すべく構成している（ステップＳ２４）。なお、報告メールは生徒に対しても送信してよい。
【００７１】
講師が「Ｕｐｃｏｍｉｎｇ　Ｃｌａｓｓ」ボタン８１を選択することにより授業管理用データベース３に授業報告情報が登録されると、授業管理用サーバー装置１は、講師用クライアント装置４に対して授業計画情報入力画面情報を送信し、講師用クライアント装置４の表示画面に、図７に示す授業計画情報入力画面３１を表示すべく構成している。すなわち、授業報告情報の登録に引き続いて授業計画情報の登録を行なわせるべく構成しており、講師は、前回の授業の記憶が消えないうちに新しい授業計画を作成することができ、連続性の高い授業計画を作成することができる。
【００７２】
特に、このとき、授業報告情報入力画面６７の授業内容入力部７７に設けた授業進捗情報入力欄７８にチェックの行なわれなかったパートが存在した場合、授業計画情報入力画面３１の授業計画入力部４０に設けた学習内容情報入力欄には、授業進捗情報入力欄７８にチェックの行なわれなかったパートの学習内容情報を自動入力すべく構成しており、講師による授業計画入力部４０への入力作業の労力を軽減させることができるとともに、生徒に対して十分な教授を行なえなかった内容の補充を行なうことができる。
【００７３】
講師用クライアント装置４の表示画面に表示した授業計画情報入力画面３１に基づいて、講師が授業計画情報を入力し（ステップＳ２５）、上記したように入力した授業計画情報を授業管理用サーバー装置１に送信すると、ステップＳ１６において授業管理用サーバー装置１は授業管理用データベース３への登録を行なう。
【００７４】
なお、授業報告情報入力画面６７で入力した授業報告情報が、最後の授業に対する授業報告情報であった場合には、授業報告情報入力画面６７の「Ｕｐｃｏｍｉｎｇ　Ｃｌａｓｓ」ボタン８１を選択することにより表示される授業計画情報入力画面３１で、図示していない「授業終了」ボタンを選択することにより、講師用クライアント装置４は、授業終了情報を授業計画情報として授業管理用サーバー装置１に送信し（ステップＳ２５）、同授業終了情報を受信した授業管理用サーバー装置１は（ステップＳ１６）、授業が終了することを検出して授業実績管理システムを終了する（ステップＳ１７）。
【００７５】
授業報告情報入力画面６７には、「Ｕｐｃｏｍｉｎｇ　Ｃｌａｓｓ」ボタン８１だけでなく「ｂａｃｋ」ボタン８２を設けており、講師が同「ｂａｃｋ」ボタン８２を選択した場合には、授業報告情報の登録を行なうことなく講師用クライアント装置４の表示画面にレッスン一覧画面２５を表示すべく構成している。
【００７６】
講師が、授業報告情報入力画面６７において「Ｕｐｃｏｍｉｎｇ　Ｃｌａｓｓ」ボタン８１を用いて授業管理用データベース３に授業報告情報を登録すると、授業管理用サーバー装置１は、レッスン一覧画面２５の授業一覧表２６における報告を行なった授業の「Ｓｔａｔｕｓ（状態）」を「Ｒｅｐｏｒｔｅｄ」としている。この「Ｒｅｐｏｒｔｅｄ」となっている授業に対しては、授業報告情報の変更を可能としている。ただし、「Ｓｔａｔｕｓ（状態）」を「Ｒｅｐｏｒｔｅｄ」とした授業は、削除不可能としている。なお、上記した報告メールの送信は、授業管理用サーバー装置１が「Ｓｔａｔｕｓ（状態）」を「Ｐｌａｎｎｅｄ」から「Ｒｅｐｏｒｔｅｄ」に変更することにともなって行なうべく構成している。
【００７７】
また、授業管理用データベース３への授業報告情報の登録にともなって、授業管理用サーバー装置１は、登録された授業報告情報の授業を受講した生徒の受講履歴を管理しているユーザー管理マスタファイルに、授業報告情報に基づいて新規の受講情報を生成して登録している。ここで、受講情報とは、授業報告情報入力画面６７において表示・入力された内容である。これが受講情報登録手段である。
【００７８】
授業管理用サーバー装置１は、ステップＳ２０において授業報告情報の登録の締切日を検出すると、締切日に達した全ての授業の「Ｓｔａｔｕｓ（状態）」を「Ｌｏｃｋｅｄ」とするロックアウト処理を行ない、授業報告情報の変更を禁止すべく構成している（ステップＳ２６）。
【００７９】
授業管理用サーバー装置１は、ロックアウト処理を行なう際に、「Ｓｔａｔｕｓ（状態）」が「Ｒｅｐｏｒｔｅｄ」から「Ｌｏｃｋｅｄ」となった授業と、「Ｐｌａｎｎｅｄ」から「Ｌｏｃｋｅｄ」となった授業との判別を行なうべく構成している（ステップＳ２７）。
【００８０】
「Ｓｔａｔｕｓ（状態）」が「Ｒｅｐｏｒｔｅｄ」から「Ｌｏｃｋｅｄ」となった授業は、締切日までに正常に授業管理用データベース３への授業報告情報の登録が行なわれたものとして、後述する報酬計算処理の待ち受け状態としている（ステップＳ２８）。
【００８１】
一方、「Ｓｔａｔｕｓ（状態）」が「Ｐｌａｎｎｅｄ」から「Ｌｏｃｋｅｄ」となった授業は、締切日までに正常に授業管理用データベース３への授業報告情報の登録が行なわれなかったものとして、図１１に示すように、授業管理用サーバー装置１が、授業報告情報の登録を行なわなかった講師の講師用クライアント装置４に対して、授業報告情報の登録を行なうべき授業に対してロックアウト処理を実施したことを通告する通告メールを送信すべく構成している（ステップＳ２９）。なお、本実施の形態では、授業管理用サーバー装置１は、授業報告情報の登録を行なわなかった講師に対してだけでなく、同講師を雇用している雇用者であるシステム管理者自身にも同様の通告メールを送信し、システム管理者からも講師に対して直接的に授業報告情報の登録を促すことができるべく構成している。
【００８２】
なお、「Ｓｔａｔｕｓ（状態）」が「Ｐｌａｎｎｅｄ」から「Ｌｏｃｋｅｄ」となった授業は、報酬計算処理の待ち受け状態とはならないことにより、講師はその授業分の報酬を得られないようにしている。
【００８３】
講師は、通告メールを受信することによって（ステップＳ３０）、あるいは、別途授業管理用サーバー装置１にアクセすることによってロックアウト処理が実施されたことを知り、報酬を受けるべく授業報告情報を登録したい場合には、講師は、システム管理者に対してロックアウトを解除してもらえるように解除依頼を行なう（ステップＳ３１）。ロックアウトの解除依頼は、授業管理用サーバー装置１に電子メールを送信して行なってもよいし、電話等でシステム管理者に直接行なってもよい。
【００８４】
ロックアウトの解除依頼を受けたシステム管理者は、ロックアウトの解除を行なう授業の「Ｓｔａｔｕｓ（状態）」を「Ｌｏｃｋｅｄ」から「Ｐｌａｎｎｅｄ」に変更することによりロックアウトの解除を行なう（ステップＳ３２）。授業管理用サーバー装置１は、ロックアウトの解除にともなって、講師に対してロックアウト解除通知メールを送信すべく構成してもよい。
【００８５】
ロックアウトが解除された後、講師は、上記した講師による授業報告情報の授業管理用データベース３への登録の場合と同様にして授業管理用サーバー装置１にアクセスするとともに（ステップＳ３３）、授業報告情報の入力・登録を行なう（ステップＳ３４）。また、授業報告情報の登録に引き続いてステップＳ２５と同様に、次回の授業の授業計画情報を入力・登録を行なう（ステップＳ３５）。
【００８６】
ステップＳ３３における授業報告情報の入力に基づいて、同授業報告情報が授業管理用サーバー装置１の授業管理用データベース３に登録されると（ステップＳ３６）、授業管理用サーバー装置１は、授業報告情報が登録された授業の「Ｓｔａｔｕｓ（状態）」を「Ｐｌａｎｎｅｄ」から「Ｒｅｐｏｒｔｅｄ」に変更し、ステップＳ２４と同様にして授業管理用サーバー装置１はクラス責任者が使用しているクラス責任者用クライアント装置６に対して報告メールを送信する。なお、報告メールは生徒に対しても送信してよい。
【００８７】
その後、授業管理用サーバー装置１は、「Ｓｔａｔｕｓ（状態）」を「Ｒｅｐｏｒｔｅｄ」から「Ｌｏｃｋｅｄ」に変更するロックアウト処理を行なって授業報告情報の変更を禁止し（ステップＳ３７）、ステップＳ２８と同様に、報酬計算処理の待ち受け状態として（ステップＳ３８）、講師が報酬を受給することができるべく構成している。なお、本実施の形態では、ステップＳ３２のロックアウトの解除、及びステップＳ３７のロックアウト処理は、システム管理者が、手動で「Ｓｔａｔｕｓ（状態）」を変更することにより行なっているが、適宜のプログラムによって自動的に処理すべく構成してもよい。
【００８８】
上記のようにして、授業実績管理システムは、講師に対して授業計画情報及び授業報告情報の授業管理用データベース３への登録を行なわせている。
【００８９】
さらに、授業実績管理システムでは、以下のようにして、授業を行なった講師に対する報酬の支払管理を行なっている。
【００９０】
すなわち、授業管理用サーバー装置１では、あらかじめ設定した報酬計算日時に達したことを検出すると（ステップＳ５１）、報酬支払いの対象となる授業の抽出を行なう（ステップＳ５２）。ここで、報酬支払いの対象となる授業とは、前回の報酬計算日から今回の報酬計算日の間で授業管理用データベース３に授業報告情報の登録が行なわれた授業であって、報酬計算処理の待ち受け状態となっている授業であり、授業管理用サーバー装置１は、授業管理用データベース３から該当する授業の抽出を行なう。
【００９１】
次いで、抽出結果に基づいて、授業管理用サーバー装置１は、授業を行なった講師に対する報酬金額を算出する（ステップＳ５３）。ここで、授業管理用サーバー装置１は抽出結果の授業に対してあらかじめ設定しておいた授業報酬単価と、交通費等の手当とを加えて報酬金額としている。
【００９２】
全講師に対して報酬金額を算出した後、授業管理用サーバー装置１は報酬支払情報を出力する（ステップＳ５４）。報酬支払情報の出力は、金融機関で定められた所定の出力フォーマットによる電子データとしての出力であってもよいし、印刷用紙に印刷出力したものであってもよいし、振込用紙に印刷出力したものであってもよい。
【００９３】
そして、システム管理者は、出力した報酬支払情報に基づいて講師の金融口座に振込みを行なうことにより報酬の支払いを行なう（ステップＳ５５）。なお、口座振込ではなく、システム管理者が講師に対して現金で支払いを行なってもよい。
【００９４】
なお、図５に示すように、クラス一覧画面１８には「Ｐａｙｍｅｎｔ　Ｓｈｅｅｔ」ボタン１１５を設けており、講師がクラス一覧画面１８において同「Ｐａｙｍｅｎｔ　Ｓｈｅｅｔ」ボタン１１５を選択することによって、授業管理用サーバー装置１は講師用クライアント装置４の表示画面に、図１３に示す手当一覧画面１１６を表示すべく構成している。そして、同手当一覧画面１１６において、講師は、自身の報酬支払情報を確認可能としている。以上が報酬計算手段である。
【００９５】
以下において、今度は、システム管理者と、講師と、生徒及びクラス責任者との間で行なわれる処理について、図１４及び図１５のフローチャートを用いて説明する。なお、図１４及び図１５に示したフローチャートにおいて、上記した図２及び図１１のフローチャートにおける同一ステップについては同一符号を用い、詳細な説明は省略する。
【００９６】
システム管理者は、図１４に示すように、まず、授業管理用サーバー装置１を用いて授業管理用データベース３に設けたユーザー管理マスタファイルへの新規講師の登録、及びユーザー管理マスタファイルへの新規生徒の登録を行ない（ステップＳ１０）、次いで、システム管理者は、授業管理用サーバー装置１を用いて授業管理用データベース３に設けたクラス管理マスタファイルに、クラスの設定を行なう（ステップＳ１１）。クラスの設定では、授業を担当する講師、同授業を受講する生徒、同生徒の受講状況の管理を行なうクラス責任者、さらには、同クラスにおける授業の実施日時、初回授業日、最終回授日、使用テキスト情報等を設定している。
【００９７】
クラス設定の終了後、授業実績管理システムは、クラス設定において設定された講師に対して、同講師が授業を担当するクラスが決定したことを通知するクラス設定通知メールを送信するとともに、同クラスに所属する生徒、及びクラス責任者にもクラスが決定したことを通知するクラス設定通知メールを送信する（ステップＳ１２）。なお、生徒及びクラス責任者には、必ずしもクラス設定通知メールを送信しなくてもよい。また、クラス決定の通知は、クラス設定通知メールによる連絡ではなく、電話やファクシミリ等による連絡であってもよい。
【００９８】
講師は、講師用クライアント装置４によってクラス設定通知メールを受信して、自分が担当するクラスを確認する（ステップＳ１３）。同様に、生徒は、生徒用クライアント装置５によってクラス設定通知メールを受信して、自分が受講する授業を確認する（ステップＳ１３’）。また、クラス責任者は、クラス責任者用クライアント装置６によってクラス設定通知メールを受信して、自分が管理する生徒が正しく登録されているか確認する（ステップＳ１３”）。
【００９９】
その後、講師は、講師用クライアント装置４を用いて授業管理用サーバー装置１にアクセスし（ステップＳ１４）、授業管理用サーバー装置１に授業計画情報を送信して（ステップＳ１５）、授業管理用データベース３に授業計画情報を登録する（ステップＳ１６）。
【０１００】
授業管理用データベース３への授業計画情報の登録にともなって、授業管理用サーバー装置１は、授業計画情報の登録された授業を受講する生徒の生徒用クライアント装置５、及びクラス責任者のクラス責任者用クライアント装置６に、電子メールで授業計画情報が登録されたことを通知する授業計画情報登録通知メールを送信する（ステップＳ１８）。
【０１０１】
生徒は、生徒用クライアント装置５で授業計画情報登録通知メールを受信すると（ステップＳ６１）、生徒用クライアント装置５を用いて授業管理用サーバー装置１にアクセスし（ステップＳ６２）、講師が授業管理用データベース３に登録した授業計画情報を閲覧可能としている。
【０１０２】
すなわち、生徒が生徒用クライアント装置５を用いて授業管理用サーバー装置１にアクセスする場合には、講師が講師用クライアント装置４を用いて授業管理用サーバー装置１にアクセスする場合と同様に、まず、生徒は、生徒用クライアント装置５で授業管理用サーバー装置１に設けた授業実績管理システムにアクセスしようとすることにより、授業管理用サーバー装置１は、生徒用クライアント装置５の表示画面に、図３に示すアクセス者選択画面１０を表示すべく構成している。
【０１０３】
生徒が、アクセス者選択画面１０のプルダウンメニュー１１において「生徒」を選択し、「ｇｏ」ボタン１２を選択することにより、授業管理用サーバー装置１は、生徒用クライアント装置５の表示画面に、図４のユーザーＩＤ入力画面１３に相当する生徒用のユーザーＩＤ入力画面を表示すべく構成している。
【０１０４】
生徒が、同ユーザーＩＤ入力画面においてユーザーＩＤ入力欄とパスワード入力欄とに、それぞれあらかじめユーザー管理マスタファイルに登録されたユーザーＩＤとパスワードとを入力し、「ｇｏ」ボタンを選択することによって、授業管理用サーバー装置１は、生徒用クライアント装置５の表示画面に、図１６に示す生徒用クラス一覧画面８３を表示すべく構成している。なお、生徒が所属するクラスが１つだけである場合には、生徒用クラス一覧画面８３を表示することなく、後述する生徒用出欠確認画面９０を直接表示すべく構成している。
【０１０５】
同生徒用クラス一覧画面８３には生徒名表示部８４を設けており、同生徒名表示部８４には、ユーザーＩＤ入力欄に入力したユーザーＩＤと、パスワード入力欄に入力したパスワードとで特定される生徒名を表示し、さらに、同生徒名表示部８４の下方には、生徒名表示部８４に表示された生徒が所属するクラスを一覧表形式に表示したクラス一覧表８５を表示すべく構成している。
【０１０６】
クラス一覧表８５に表示した各クラス名の右側には、ラジオボタンからなる選択ボタン８６を設けており、同選択ボタン８６のいずれか一つを選択して、生徒用クラス一覧画面８３に設けた「Ｅｎｔｅｒ」ボタン８７を選択することにより、授業管理用サーバー装置１は、講師用クライアント装置４に対して選択ボタン８６で選択したクラスにおける生徒の生徒用出欠確認画面９０を表示すべく構成している（図１７参照）。
【０１０７】
なお、生徒がクラス一覧画面８６に設けた「Ｂａｃｋ」ボタン８８を選択した場合には、生徒用クライアント装置５の表示画面には、ユーザーＩＤ入力画面を表示すべく構成している。また、生徒用クラス一覧画面８３には「Ｃｈａｎｇｅ　Ｐａｓｓｗｏｒｄ」ボタン８９を設けており、生徒が同「Ｃｈａｎｇｅ　Ｐａｓｓｗｏｒｄ」ボタン８９を選択することによって生徒のアクセス用のパスワードを変更可能としている。
【０１０８】
生徒用出欠確認画面９０には、図１７に示すように、出欠情報表示部９１と、出欠履歴表示部９２と、「Ｌｏｇｏｕｔ」ボタン９３と、「Ｂａｃｋ」ボタン９４を設けている。
【０１０９】
特に、出欠履歴表示部９２には、講師が授業計画情報を授業管理用データベース３に登録した授業、及び、講師が授業報告情報を授業管理用データベース３に登録した授業を時系列順に並べて表示すべく構成している。そして、出欠履歴表示部９２において、出欠情報が記載されていない授業が未実施の授業であって、授業計画情報が閲覧できる授業となっている。
【０１１０】
本実施の形態の場合、出欠履歴表示部９２の「Ｎｏ．」欄はリンクボタンとしており、閲覧したい授業Ｎｏ．を選択することにより（ステップＳ６３）、授業管理用サーバー装置１は、生徒用クライアント装置５に、講師が授業管理用データベース３に登録した授業計画情報に基づく授業予定情報を送信し（ステップＳ８１）、生徒用クライアント装置５の表示画面に、図１８に示す授業予定表示画面９５を表示すべく構成している。
【０１１１】
生徒は、生徒用クライアント装置５の表示画面に表示された授業予定表示画面９５を閲覧して、授業内容を確認するとともに予習を行なう（ステップＳ６４）。すなわち、生徒は、生徒用クライアント装置５を用いて、あらかじめ授業内容を確認することができるので、授業に則した予習を行なうことができ、学習効果を高めることができる。
【０１１２】
なお、生徒用出欠確認画面９０において、生徒が「Ｌｏｇｏｕｔ」ボタン９３を選択した場合には、生徒用クライアント装置５の表示画面には、上記したログアウト確認画面及びログイン確認画面を順次表示すべく構成している。また、生徒用出欠確認画面９０において、生徒が「Ｂａｃｋ」ボタン９４を選択した場合には、生徒用クライアント装置５の表示画面には、ユーザーＩＤ入力画面を表示すべく構成している。
【０１１３】
一方、クラス責任者も、クラス責任者用クライアント装置６で授業計画情報登録通知メールを受信すると（ステップＳ７１）、クラス責任者用クライアント装置６を用いて授業管理用サーバー装置１にアクセスし（ステップＳ７２）、講師が授業管理用データベース３に登録した授業計画情報を閲覧可能としている。
【０１１４】
すなわち、クラス責任者がクラス責任者用クライアント装置６を用いて授業管理用サーバー装置１にアクセスする場合には、生徒が生徒用クライアント装置５を用いて授業管理用サーバー装置１にアクセスする場合と同様に、まず、クラス責任者は、クラス責任者用クライアント装置６で授業管理用サーバー装置１に設けた授業実績管理システムにアクセスしようとすることにより、授業管理用サーバー装置１は、クラス責任者用クライアント装置６の表示画面に、図３に示すアクセス者選択画面１０を表示すべく構成している。
【０１１５】
クラス責任者が、アクセス者選択画面１０のプルダウンメニュー１１において「クラス責任者」を選択し、「ｇｏ」ボタン１２を選択することにより、授業管理用サーバー装置１は、クラス責任者用クライアント装置６の表示画面に、図４のユーザーＩＤ入力画面１３に相当するクラス責任者用のユーザーＩＤ入力画面を表示すべく構成している。
【０１１６】
クラス責任者が、同ユーザーＩＤ入力画面においてユーザーＩＤ入力欄とパスワード入力欄とに、それぞれあらかじめユーザー管理マスタファイルに登録されたユーザーＩＤとパスワードとを入力し、「ｇｏ」ボタンを選択することによって、授業管理用サーバー装置１は、クラス責任者用クライアント装置６の表示画面に、図１９に示すクラス一覧画面９６を表示すべく構成している。
【０１１７】
同クラス一覧画面９６にはクラス責任者名表示部９７を設けており、同クラス責任者名表示部９７の下方には、クラス責任者名表示部９７に表示されたクラス責任者が管理するクラスを一覧表形式に表示したクラス一覧表９８を表示するとともに、同クラス一覧表９８の下方には表示内容指定欄９９を表示すべく構成している。
【０１１８】
クラス一覧表９８に表示した各クラス名の右側には、ラジオボタンからなる選択ボタン１００を設けており、クラス責任者が同選択ボタン１００のいずれか一つを選択し、また、表示内容指定欄９９の「レッスンプラン／レッスンレポート」項目の右側に設けた選択ボタン１０１を選択して、クラス一覧表９８に設けた「Ｅｎｔｅｒ」ボタン１０２を選択することにより、授業管理用サーバー装置１は、講師用クライアント装置４に対して選択ボタン１００で選択したクラスのレッスン選択画面１０５を表示すべく構成している（図２０参照）。なお、クラス責任者が授業計画情報登録通知メールに基づいて授業計画情報を閲覧する場合には、表示内容指定欄９９において「出席状況」項目を選択することはないので、表示内容指定欄９９において「出席状況」項目を選択する場合についての説明は、ここでは省略する。
【０１１９】
クラス一覧画面９６には「Ｂａｃｋ」ボタン１０３を設けており、クラス責任者が同「Ｂａｃｋ」ボタン１０３を選択した場合には、クラス責任者用クライアント装置６の表示画面にはユーザーＩＤ入力画面を表示すべく構成している。また、クラス一覧画面９６には、「Ｃｈａｎｇｅ　Ｐａｓｓｗｏｒｄ」ボタン１０４を設けており、クラス責任者が同「Ｃｈａｎｇｅ　Ｐａｓｓｗｏｒｄ」ボタン１０４を選択した場合には、クラス責任者のアクセス用のパスワードを変更可能としている。
【０１２０】
レッスン選択画面１０５には、図２０に示すように、プルダウンメニュー１０６を設けており、同プルダウンメニュー１０６によって、講師が授業計画情報を授業管理用データベース３に登録した授業、及び、講師が授業報告情報を授業管理用データベース３に登録した授業を、クラス責任者が選択可能としており、クラス責任者は閲覧を希望する授業をプルダウンメニュー１０６に表示して、同プルダウンメニュー１０６の右側に設けた「Ｅｎｔｅｒ」ボタン１０７を選択することにより（ステップＳ７３）、授業管理用サーバー装置１は、クラス責任者用クライアント装置６に、講師は授業管理用データベース３に登録した授業計画情報に基づく授業予定情報を送信し（ステップＳ８１）、クラス責任者用クライアント装置６の表示画面に、図１８に示す授業予定表示画面９５と同様の授業内容表示画面を表示すべく構成している。
【０１２１】
クラス責任者は、クラス責任者用クライアント装置６の表示画面に表示された授業内容表示画面を閲覧して希望通りの授業が行なわれることを確認する（ステップＳ７４）。
【０１２２】
上記したように、講師は授業計画情報の入力後、所定の授業実施予定日に授業を実施し、生徒は同授業を受講する（ステップＳ２１）。そして、図１５に示すように、講師は、授業管理用データベース３への授業報告情報の登録の締切日までに講師用クライアント装置４を用いて授業管理用サーバー装置１にアクセスし（ステップＳ２２）、授業報告情報の入力・送信を行なう（ステップＳ２３）。また、講師には、授業報告情報の入力・送信に引き続いて次回の授業計画情報の入力・送信を行なう（ステップＳ２５）。そして、授業実績管理システムはステップＳ１６に戻るべく構成している。
【０１２３】
授業管理用サーバー装置１は、講師用クライアント装置４から送信された授業報告情報を受信して、授業管理用データベース３に同授業報告情報を登録する（ステップＳ２４）。そして、授業管理用データベース３に授業報告情報を登録すると、授業管理用サーバー装置１は、クラス責任者が存在する場合には同クラス責任者のクラス責任者用クライアント装置６に報告メールを送信する。
【０１２４】
報告メールは、講師が図８の出欠情報入力画面５０において入力した出欠情報に基づく生徒の授業の出席履歴情報、及び、講師が図１０の授業報告情報入力画面６７において入力した授業報告情報に基づく授業概要情報とを報告メールとして送信すべく構成している。特に、出席履歴情報としては、図２１に示す出欠情報表示画面１０９の情報であって、授業概要情報とは図２２に示す受講内容表示画面１１０の情報である。
【０１２５】
クラス責任者は報告メールを受信して（ステップＳ７５）、講師による授業の実施状況を確認するとともに、生徒の出席状況を確認する（ステップＳ７６）。特に、クラス責任者は、上記したようにあらかじめ授業計画情報に基づく授業内容を確認することができるので、授業後の授業報告情報に基づく授業概要情報との比較を行なうことにより授業内容の確認を行なうことができ、場合によっては講師に対してより質の高い授業を行なうように指摘して、授業の改善を促すこともできる。
【０１２６】
報告メールは、クラス責任者だけでなく生徒にも送信すべく構成してもよく、生徒は報告メールを受信して（ステップＳ６５）、受講内容の再確認を行なうことにより復習し、また、自身の出欠情報が正しく登録されているか確認可能としている（ステップＳ６６）。特に、生徒の場合、都合により欠席した場合であっても授業内容を確認することによって授業に遅れるおそれがなく、また、宿題の内容を確実に確認することにより宿題を忘れることを防止できる。なお、報告メールの生徒への送信が受講情報登録通知手段となっている。
【０１２７】
生徒及びクラス責任者は、報告メールに基づいて受講内容を確認するだけでなく、任意に授業管理用サーバー装置１にアクセスして、過去の受講内容をいつでも閲覧可能としている。
【０１２８】
はじめに、生徒が、授業管理用サーバー装置１にアクセスして、過去の受講内容を確認する場合について説明する。
【０１２９】
生徒は、まず、授業計画情報を閲覧する場合と同様に、生徒用クライアント装置５を用いて授業管理用サーバー装置１にアクセスする（ステップＳ６７）。
【０１３０】
生徒による授業管理用サーバー装置１へのアクセスに基づいて、同授業管理用サーバー装置１は、生徒用クライアント装置５の表示画面に、図１６に示す生徒用クラス一覧画面８３を表示すべく構成している。
【０１３１】
同生徒用クラス一覧画面８３において、生徒は、クラス一覧表８５に表示した各クラス名から閲覧を希望するクラス名を選択ボタン８６で選択し、「Ｅｎｔｅｒ」ボタン８７を選択することによって図１７に示す生徒用出欠確認画面９０を表示すべく構成している。なお、生徒が所属するクラスが１つだけである場合には、生徒用クラス一覧画面８３を表示することなく、生徒用出欠確認画面９０を直接表示すべく構成している。
【０１３２】
生徒用出欠確認画面９０に設けた出欠履歴表示部９２の「Ｎｏ．」欄は、上記したようにリンクボタンとなっており、閲覧を希望する授業の授業Ｎｏ．を選択することにより（ステップＳ６８）、授業管理用サーバー装置１は、生徒用クライアント装置５に、講師が授業管理用データベース３に登録した授業報告情報に基づく受講内容情報を送信し（ステップＳ８２）、生徒用クライアント装置５の表示画面に、図２２に示す受講内容表示画面１１０を表示すべく構成している。
【０１３３】
受講内容表示画面１１０には、講師が授業管理用サーバー装置１の授業管理用データベース３に登録した授業報告情報に基づいて授業管理用サーバー装置１が生成した生徒の受講内容情報を表示すべく構成している。すなわち、講師が、図１０の授業報告情報入力画面６７を用いて授業管理用サーバー装置１の授業管理用データベース３に授業報告情報を登録した際に、授業管理用サーバー装置１では、授業報告情報入力画面６７への入力の前に出欠情報入力画面５０で行なった出欠情報に基づいて、各生徒の出欠情報をユーザー管理マスタファイルに登録し、次いで、授業報告情報入力画面６７で入力された授業報告情報を、出欠情報を登録した各生徒の受講内容情報としてユーザー管理マスタファイルに登録している。
【０１３４】
生徒は、受講内容表示画面１１０に表示された受講内容情報に基づいて授業内容の確認をいつでも行なうとともに復習することができる（ステップＳ６９）。従って、学習効果を向上させることができる。このように、授業管理用データベース３に登録された授業報告情報を閲覧可能に開示している構成が情報開示手段である。
【０１３５】
さらに、受講内容表示画面１１０には「Ｕｐｃｏｍｉｎｇ　Ｃｌａｓｓ」ボタン１１１を設けており、生徒が同「Ｕｐｃｏｍｉｎｇ　Ｃｌａｓｓ」ボタン１１１を選択することによって、生徒用クライアント装置５の表示画面に表示した受講内容表示画面１１０の授業の次に行なった授業の内容、あるいは、次に行なう予定の授業の内容を表示すべく構成しており、授業内容を連続的に閲覧可能としている。
【０１３６】
次に、クラス責任者が、授業管理用サーバー装置１にアクセスして、過去の受講内容を確認する場合について説明する。
【０１３７】
クラス責任者は、まず、授業計画情報を閲覧する場合と同様に、クラス責任者用クライアント装置６を用いて授業管理用サーバー装置１にアクセスする（ステップＳ７７）。
【０１３８】
クラス責任者による授業管理用サーバー装置１へのアクセスに基づいて、同授業管理用サーバー装置１は、クラス責任者用クライアント装置の表示画面に、図１９に示すクラス一覧画面９６を表示すべく構成している。
【０１３９】
同クラス一覧画面９６において、クラス責任者は、クラス一覧表９８に表示した各クラス名から閲覧を希望するクラス名を選択ボタン１００で選択し、さらに、表示内容指定欄９９の「出席情報」項目と「レッスンプラン／レッスンレポート」項目のうち、選択ボタン１０１で「出席情報」項目を選択して「Ｅｎｔｅｒ」ボタン１０２を選択した場合には（ステップＳ７８）、授業管理用サーバー装置１は、クラス責任者用クライアント装置６に出欠情報表示画面情報を送信し（ステップＳ８２）、クラス責任者用クライアント装置６の表示画面に、図２１に示すように、選択ボタン１００で指定したクラスの出欠情報表示画面１０９を表示すべく構成している。
【０１４０】
出欠情報表示画面１０９は、図２１に示すように、クラスに所属する生徒全員の出席情報を一覧表形式で表示すべく構成しており、特に、各生徒の生徒名表示部分はリンクボタンとしており、所要の生徒名を選択することにより、授業管理用サーバー装置１は、クラス責任者用クライアント装置６の表示画面に、図２３に示す出欠履歴表示画面１１２を表示して、クラス責任者が各生徒の出欠履歴を確認可能としている（ステップＳ７９）。
【０１４１】
一方、クラス一覧画面９６において、クラス責任者は、クラス一覧表９８に表示した各クラス名から閲覧を希望するクラス名を選択ボタン１００で選択し、さらに、表示内容指定欄９９の「出席情報」項目と「レッスンプラン／レッスンレポート」項目のうち、選択ボタン１０１で「レッスンプラン／レッスンレポート」項目を選択して「Ｅｎｔｅｒ」ボタン１０２を選択した場合には、授業管理用サーバー装置１は、クラス責任者用クライアント装置６の表示画面に、図２０に示すレッスン選択画面１０５を表示すべく構成している。
【０１４２】
クラス責任者は、レッスン選択画面１０５のプルダウンメニュー１０６によって閲覧を希望する授業を選択し、同プルダウンメニュー１０６の右側に設けた「Ｅｎｔｅｒ」ボタン１０７を選択することにより（ステップＳ７８）、授業管理用サーバー装置１は、クラス責任者用クライアント装置６に、講師が授業管理用データベース３に登録した授業報告情報に基づく受講内容情報を送信し（ステップＳ８２）、クラス責任者用クライアント装置６の表示画面に、図２２に示す受講内容表示画面１１０と同様の授業内容表示画面を表示すべく構成して、閲覧可能としている（ステップＳ７９）。
【０１４３】
同授業内容表示画面においても「Ｕｐｃｏｍｉｎｇ　Ｃｌａｓｓ」ボタンを設けており、クラス責任者が同「Ｕｐｃｏｍｉｎｇ　Ｃｌａｓｓ」ボタンを選択することによって、クラス責任者用クライアント装置６の表示画面に表示した授業内容表示画面の授業の次に行なった授業の内容、あるいは、次に行なう予定の授業の内容を表示すべく構成しており、授業内容を連続的に閲覧可能としている。
【０１４４】
上記のようにして、生徒及びクラス責任者は、授業管理用データベース３に登録された授業計画情報及び授業報告情報を自由に閲覧し、生徒は授業の予習・復習を行なうことができるとともに、クラス責任者は授業の実施状況を確実に管理することができるべく構成している。
【０１４５】
特に、生徒が、講師が登録した授業報告情報の内容を確認することによって、講師が正しく授業報告情報を登録したかどうかも確認することができ、生徒が授業報告情報の正確性を保証する保証人ともなることによって、システム管理者は、講師が登録した授業報告情報を信頼して報酬の支払いを行なうことができる。
【０１４６】
また、講師も、講師用クライアント装置４を用いて、生徒及びクラス責任者と同様に授業管理用データベース３に登録された授業計画情報及び授業報告情報を閲覧可能であり、自分が行なった授業管理用データベース３への登録が正しく行なわれているかを確認することができ、システム管理者による不正改ざんを抑止できる。
【０１４７】
さらに、生徒は、生徒用クライアント装置５を用いていつでも授業内容を確認することができ、都合により授業を欠席した場合に、次回からの授業についていけなくなることを防止できる。また、宿題の確認を確実に行なうことができるので、宿題忘れを防止できる。
【０１４８】
また、講師は、授業内容を生徒及びクラス管理者によってチェックされることにより常に講師の資質が問われることとなり、講師の責任が高まり、不十分な内容の授業が実施されることを防止でき、質の高い授業を提供することができる。
【０１４９】
特に、生徒及びクラス責任者は、授業計画情報と授業報告情報とを比較することができるので、授業を受ける生徒に適合した授業が行なわれているかを判断することができ、必要であれば改善を求めることもできる。
【０１５０】
上記した授業実績管理システムにおいては、授業管理用データベース３に授業計画情報を登録した講師が、登録した授業計画情報に基づいて授業を行ない、その後、同講師が授業管理用データベース３に授業報告情報を登録するものとして説明したが、必ずしも、授業管理用データベース３に授業計画情報を登録する登録者と、授業管理用データベース３に授業報告情報を登録する登録者が同一である必要はなく、異なっていてもよい。
【０１５１】
すなわち、授業予定日に授業を行なうこととなっていた講師が病欠した場合、他の講師によって病欠した講師（以下、「病欠講師」と呼ぶ）が実施する予定であった授業を代行してもよい。この場合、授業報告情報は授業を代行した講師（以下、「代行講師」と呼ぶ）が入力・登録を行なうことにより、報酬は代行講師が受けることとなる。
【０１５２】
代行講師が授業報告情報を授業管理用データベース３に登録する場合には、代行講師は、同代行講師が使用する講師用クライアント装置４で授業管理用サーバー装置１にアクセスし、講師用クライアント装置４の表示画面に図５に示すクラス一覧画面１８を表示させ、クラス一覧表２０の中の「その他」項目の右側に設けた選択ボタン２１を選択することにより、講師用クライアント装置４の表示画面には講師名選択画面（図示せず）を表示して、同講師名選択画面において病欠講師を選択することによって、同病欠講師のクラス一覧画面１８を講師用クライアント装置４の表示画面に表示させる。
【０１５３】
そして、代行講師は、同クラス一覧画面１８のクラス一覧表２０において代行して授業を行なったクラスを選択することにより図６のレッスン一覧画面２５を講師用クライアント装置４の表示画面に表示し、同レッスン一覧画面２５の授業一覧表２６において代行した授業を選択することによって、上記したように出欠情報入力画面５０、出欠履歴表示画面５８、授業報告情報入力画面６７を講師用クライアント装置４の表示画面に順次表示させて、所要の入力を可能としている。
【０１５４】
上記した授業実績管理システムにおいては、講師による授業計画情報の入力作業を容易とすべく、次のようにすることもできる。
【０１５５】
すなわち、図２４に示すように、授業計画情報入力画面３１’には「参照」ボタン１１３を設け、授業計画情報を入力する講師が同「参照」ボタン１１３を選択した場合には、授業計画情報入力画面３１’の授業計画情報の入力欄に、講師が過去に作成した授業計画情報を自動入力すべく構成している。
【０１５６】
すなわち、授業計画情報入力画面３１’において、講師が「参照」ボタン１００を選択すると、授業管理用サーバー装置１は、まず、講師用クライアント装置４の表示画面に、講師が過去に作成して授業管理用データベース３に登録した授業計画情報の一覧表（図示せず）を表示させる。
【０１５７】
そして、講師が、同一覧表から所要の授業計画情報を選択することにより、授業管理用サーバー装置１は、講師用クライアント装置４の表示画面に、講師によって選択された授業計画情報を表示したプレビュー画面（図示せず）を表示する。
【０１５８】
同プレビュー画面に表示された授業計画情報が所望する授業計画情報であった場合には、講師が、プレビュー画面に設けた「Ｅｎｔｅｒ」ボタンを選択することにより、授業管理用サーバー装置１は、授業計画情報入力画面３１’の授業計画情報の入力欄に、プレビュー画面に表示された授業計画情報を入力すべく構成している。これが、自動入力手段である。従って、講師による授業計画情報の入力作業における労力の軽減化をはかることができる。
【０１５９】
また、授業管理用サーバー装置１では、講師用クライアント装置４によって入力された授業計画情報において、同授業計画情報の授業を受講する生徒の中に、略同一内容の授業の受講履歴を有する生徒が存在する場合には、授業内容が重複することを警告する警告通知を行なうべく構成している。
【０１６０】
すなわち、授業管理用サーバー装置１では、講師用クライアント装置４から送信されてきた授業計画情報を受信すると、同授業計画情報の授業を受講する生徒の受講情報と授業計画情報との照合を行ない、授業計画情報が生徒の過去の受講情報と略一致する授業予定情報を有している場合には、授業管理用サーバー装置１は、講師用クライアント装置４に対して略一致した授業内容を含んでいることの警告を行なう。
【０１６１】
すなわち、授業管理用サーバー装置１は、講師用クライアント装置４の表示画面に授業重複警告画面（図示せず）を表示させ、同授業重複警告画面において重複する授業予定情報を表示させて、授業内容の変更を促すべく構成している。これが、警告通知手段である。これにより、重複した内容の授業の実施を防止でき、生徒に対して常に新鮮みのある授業を提供することができるので、生徒の学習意欲を向上させることができる。
【０１６２】
なお、講師は、講師用クライアント装置４の表示画面に授業重複警告画面が表示されたからといって必ずしも授業内容を変更する必要はなく、そのまま授業計画情報を授業管理用データベース３に登録してもよい。
【０１６３】
また、図２４に示すように、授業計画情報入力画面３１’に「自動作成」ボタン１１４を設けた場合には、講師が同「自動作成」ボタン１１４を選択することにより、授業管理用サーバー装置１が生徒間で重複の生じない授業のみを抽出して授業計画基礎情報を生成し、同授業計画基礎情報を授業計画情報入力画面３１’の授業計画情報の入力欄に自動入力すべく構成している。
【０１６４】
すなわち、講師が同「自動作成」ボタン１１４を選択すると、授業管理用サーバー装置１では、授業管理用データベース３から授業を受講する生徒の受講情報を取得し、取得した受講情報から生徒間で重複の生じない授業情報のみを抽出して授業計画基礎情報を生成すべく構成している。
【０１６５】
そして、授業管理用サーバー装置１は、生成した授業計画基礎情報の中から任意の授業情報を、授業計画情報入力画面３１’の授業計画情報の入力欄に自動的に入力して表示している。これが、授業計画生成手段である。
【０１６６】
新しいクラスを形成した場合には、異なる受講履歴を有する生徒が混在することにより警告通知が乱発されるおそれがあるが、授業計画生成手段を用いることによってそのおそれを解消することができ、効率よく授業計画を作成することができる。
【０１６７】
【発明の効果】
請求項１記載の発明では、授業管理用データベースを接続した授業管理用サーバー装置には、授業管理用データベースに授業計画情報を登録する授業計画登録手段と、授業管理用データベースに授業報告情報を登録する授業報告登録手段と、授業管理用データベースに登録した授業報告情報に基づいて、授業報告情報を登録した講師への報酬計算を行なう報酬計算手段とを設けるとともに、授業管理用サーバー装置を電気通信回線と接続し、同電気通信回線と接続したクライアント装置から授業管理用サーバー装置に接続可能として、クライアント装置に授業管理用データベースに登録された授業報告情報を送信して情報開示を行なう情報開示手段を設けたことによって、授業管理用データベースに登録された授業報告情報を生徒あるいは講師がクライアント装置を用いて閲覧することができるので、不正処理が行なわれた場合に、生徒あるいは講師によって容易に不正を検知することができる。従って、不正処理を抑止することができるので、システム管理者は、安心して講師に対して報酬を支払うことができるとともに、講師は公明正大に報酬を受け取ることができる。
【０１６８】
請求項２記載の発明では、授業管理用サーバー装置には、講師による授業を受講した生徒の受講情報を授業管理用データベースに登録する受講情報登録手段を設けるとともに、同受講情報登録手段による受講情報の登録にともなって、受講情報の登録された生徒が使用するクライアント装置に受講情報登録の通知を行なう受講情報登録通知手段を設けたことによって、生徒は、受講情報登録通知手段による通知にともなって授業の受講後に授業内容を確認することができ、授業内容の確認にともなって復習を行なうことができるので、生徒の学習活動を補助して学習効果を向上させることができる。
【０１６９】
請求項３記載の発明では、授業を行なう講師が、クライアント装置を用いて授業管理用サーバー装置に接続し、同クライアント装置を用いて授業管理用データベースに授業計画情報を登録し、登録した授業計画情報における授業実施予定日以降の所定期間の経過をもって、授業管理用サーバー装置は、講師による授業管理用データベースへの授業報告情報の登録を禁止するロックアウト処理を行なうべく構成したことによって、報酬計算手段による報酬計算の際に、授業報告情報の入力を行なっていなかった授業に対しては、授業を行なっていないものとして報酬計算に加えずに報酬計算を行なうことができ、報酬計算処理を煩雑化させることなく容易に行なうことができる。
【０１７０】
請求項４記載の発明では、ロックアウト処理の実施時に、講師がクライアント装置を用いて授業管理用データベースに授業報告情報の登録を行なっていなかった場合には、授業管理用サーバー装置は、講師が使用するクライアント装置に、ロックアウト処理を実施したことを通告する通告メールを送信することによって、講師による授業報告情報の入力忘れを防止することができる。また、講師による授業報告情報の入力にともなって受講情報登録手段により生徒及びクラス責任者が閲覧する受講情報が生成されるため、生徒及びクラス責任者に対して長期間の間隔を開けることなく受講情報を提供することができる。
【０１７１】
なお、通告メールは、講師だけでなく、同講師を雇用している雇用者にも送信することにより、同雇用者からも講師に対して授業報告情報の入力を促すことができ、授業報告情報の確実な入力を行なわせることができる。
【０１７２】
請求項５記載の発明では、授業管理用サーバー装置には、クライアント装置を用いて講師が授業管理用サーバー装置に授業計画情報を入力する場合に、講師が過去に作成した授業計画情報を指定することにより、指定した授業計画情報を自動入力する自動入力手段を設けたことによって、講師による授業計画情報の入力作業の労力の軽減化をはかることができる。
【０１７３】
請求項６記載の発明では、授業管理用サーバー装置には、クライアント装置を用いて講師が授業管理用サーバー装置に授業計画情報を入力する場合に、生徒の受講情報と重複する授業計画情報の入力にともなって警告通知を行なう警告通知手段を設けたことによって、重複した内容の授業の実施を防止でき、生徒に対して常に新鮮みのある授業を提供することができるので、生徒の学習意欲を向上させることができる。
【０１７４】
請求項７記載の発明では、授業管理用サーバー装置には、クライアント装置を用いて講師が授業管理用サーバー装置に授業計画情報を入力する場合に、あらかじめ生徒の受講情報を取得し、生徒間で重複の生じない授業のみを抽出して授業計画基礎情報を生成する授業計画生成手段を設けたことによって、生徒の受講情報と重複する授業計画情報の入力にともなう警告通知の乱発を防止して、効率よく授業計画を作成することができる。
【図面の簡単な説明】
【図１】本発明に係る授業実績管理システムのシステム構成図である。
【図２】授業実績管理システムのフローチャートである。
【図３】授業実績管理システムの表示画面説明図である。
【図４】授業実績管理システムの表示画面説明図である。
【図５】授業実績管理システムの表示画面説明図である。
【図６】授業実績管理システムの表示画面説明図である。
【図７】授業実績管理システムの表示画面説明図である。
【図８】授業実績管理システムの表示画面説明図である。
【図９】授業実績管理システムの表示画面説明図である。
【図１０】授業実績管理システムの表示画面説明図である。
【図１１】授業実績管理システムのフローチャートである。
【図１２】授業実績管理システムのフローチャートである。
【図１３】授業実績管理システムの表示画面説明図である。
【図１４】授業実績管理システムのフローチャートである。
【図１５】授業実績管理システムのフローチャートである。
【図１６】授業実績管理システムの表示画面説明図である。
【図１７】授業実績管理システムの表示画面説明図である。
【図１８】授業実績管理システムの表示画面説明図である。
【図１９】授業実績管理システムの表示画面説明図である。
【図２０】授業実績管理システムの表示画面説明図である。
【図２１】授業実績管理システムの表示画面説明図である。
【図２２】授業実績管理システムの表示画面説明図である。
【図２３】授業実績管理システムの表示画面説明図である。
【図２４】授業実績管理システムの表示画面説明図である。
【符号の説明】
１　授業管理用サーバー装置
２　電気通信回線
３　授業管理用データベース
４　講師用クライアント装置
５　生徒用クライアント装置
６　クラス責任者用クライアント装置
【図１】
2004046521.tif 000003
【図２】
2004046521.tif 000004
【図３】
2004046521.tif 000005
【図４】
2004046521.tif 000006
【図５】
2004046521.tif 000007
【図６】
2004046521.tif 000008
【図７】
2004046521.tif 000009
【図８】
2004046521.tif 000010
【図９】
2004046521.tif 000011
【図１０】
2004046521.tif 000012
【図１１】
2004046521.tif 000013
【図１２】
2004046521.tif 000014
【図１３】
2004046521.tif 000015
【図１４】
2004046521.tif 000016
【図１５】
2004046521.tif 000017
【図１６】
2004046521.tif 000018
【図１７】
2004046521.tif 000019
【図１８】
2004046521.tif 000020
【図１９】
2004046521.tif 000021
【図２０】
2004046521.tif 000022
【図２１】
2004046521.tif 000023
【図２２】
2004046521.tif 000024
【図２３】
2004046521.tif 000025
【図２４】
2004046521.tif 000026